(57)【要約】  本発明は液体水銀または低温アマルガムを使って、発光管の壁に泡状凸部を一つあるいは一つ以上設けて、前記泡状凸部と発光管との間に前記泡状凸部と発光管とを連通させる連接管を設けて、この泡状凸部の直径よりその連接管の直径が小さいことを特徴とする蛍光灯の発光管を提供するものである。本発明の蛍光灯の発光管の内部空間と泡状凸部との間に熱抵抗を形成する。また泡状凸部の直径は連接管の直径より大きい。このように表面積は大きく、熱も拡散しやすいから、泡状凸部内部の温度は液体水銀または低温アマルガムの好ましい作動温度に調節しやすく、好ましい効果を得て、発光管の内部に安定した水銀蒸気圧があるようにして、外管グローブが付いた状態で快速点灯と好ましい光束立ち上がりとの点灯効果を実現できる。【選択図】図１
2012529730.tif 000002
【特許請求の範囲】
【請求項１】
液体水銀あるいは低温アマルガムを使った蛍光灯の発光管であって、発光管の壁に泡状凸部を一つあるいは一つ以上設けて、前記泡状凸部と前記発光管との間に前記泡状凸部と前記発光管とを連通させる連接管を設けて、前記泡状凸部の内径より前記連接管の内径は小さいことを特徴とする蛍光灯の発光管。
【請求項２】
請求項１に記載した蛍光灯の発光管において、
前記連接管の最大断面積は前記泡状凸部の最大断面積より小さいことを特徴とする。
【請求項３】
請求項１に記載した蛍光灯の発光管において、
前記連接管の断面は円形あるいは矩形であることを特徴とする。
【請求項４】
請求項１又は３に記載した蛍光灯の発光管において、
前記泡状凸部は球形、円柱体、または立方体であることを特徴とする。
【請求項５】
請求項１に記載した蛍光灯の発光管において、
前記泡状凸部の前記連接管は円柱体で、前記泡状凸部は球形で、前記連接管の断面の直径（ｄ）は前記泡状凸部の球形部分の直径（Ｄ）より小さいことを特徴とする。
【請求項６】
請求項１又は２又は４に記載した蛍光灯の発光管において、
前記泡状凸部は２個であることを特徴とする。
【請求項７】
請求項１又は２又は４に記載した蛍光灯の発光管において、
前記発光管と前記連接管と前記泡状凸部との中心線は同じ直線上にあることを特徴とする。
【請求項８】
請求項１又は２又は４に記載した蛍光灯の発光管において、
前記発光管と前記連接管と前記泡状凸部との中心線は同じ直線上にないことを特徴とする。
【請求項９】
請求項１に記載した蛍光灯の発光管において、
水銀拡散の促進及び発光管光束の改善のために、さらに前記発光管の壁に緩衝用泡状凸部を１個あるいは１個以上設けることを特徴とする。
【請求項１０】
請求項１に記載した蛍光灯の発光管において、
前記発光管内にさらに低温アマルガムを設けることを特徴とする。
【請求項１１】
請求項１に記載した蛍光灯の発光管において、
前記泡状凸部内にさらに低温アマルガムを設けることを特徴とする。
【発明の詳細な説明】
【技術分野】
【０００１】
本発明は蛍光灯の発光管に関して、特に異形構成の蛍光灯の発光管に関するものである。
【背景技術】
【０００２】
いろいろな白熱電球と形状が似ている外管グローブ付き蛍光灯は、白熱電球より著しい省エネルギー効果を有し、家庭や公共場所などに広く使われてきたものである。従来、外管グローブ付き蛍光灯は高温アマルガムを使用するものである。この高温アマルガムは比較的に高い作動温度だけで蛍光灯に対して必要な水銀蒸気圧を維持できる。点灯後、始動してから、高温アマルガムが好ましい作動温度になるまで、温度が上昇して、蛍光灯の発光管が好ましい発光光束を発生させるには違う遅延時間がかかる。もちろん、補助アマルガムを使うと、この遅延時間は短くなるが、いろいろの製造工程の原因で、今まで理想的な効果を達成できなかった。いま、光束の立ち上がり特性を改善するために高温アマルガムを使わなく、低温アマルガムを使うメーカーもある。中国国内には直接に発光管に液体水銀あるいは低温アマルガムを封入する方法を使うメーカーがある。外管グローブを使うため、発光管の温度が激しく上がって、発光管内の水銀蒸気圧が好ましい作動圧力から大きくずれて、螺旋型の発光管の発光品質は劣化して、発光できない状態になることもある。もう一つの方法は、発光管内の水銀蒸気圧が理想的な状態になるように、外管グローブのサイズ寸法を大きくして、蛍光灯のパワーを小さくする方法であるが、もちろん、このような方法はユーザーに受け入れられない。
【０００３】
速く好ましい輝度を得るため、従来は、発光管の壁に泡状凸部（凸部あるいは突出部）を設けて、当該領域の温度を隣りより低くすることにより、螺旋形発光管内における水銀蒸気圧が好ましい圧力になって、好ましい光束を得ながら、速く好ましい輝度を得ていた。
【０００４】
日本特許の特開２００６−３０２５８９号公報には外管グローブ付き蛍光ランプが公開された。この外管グローブ付き蛍光ランプの発光管に、低温領域にするための円柱形の凸部２aを設けることにより、蛍光灯は快速的に好ましい輝度を実現できる。しかしながら、この特許には、凸部の形状特徴が泡状凸部内の温度に対して与える影響が公開されなかった。
【０００５】
国際特許ＷＯ２００８／１０５３７１Ａ１には蛍光灯と突出部（２ａ、１０２ａ）を公開された。この蛍光灯はさらに突出部２ａと樹脂１０との連結により突出部２ａの温度を低くさせることも公開された。また、突出部の円柱形のサイズ特徴である直径ｄ１と蛍光灯の断面の直径ｄ０との比率と温度との関係も公開された。ただし、当該特許には、突出部のほかの構成特徴と温度との関係は公開されなかった。当該突出部の下端部には、外管グローブが割れた場合に、割れた外管グローブを落ちないように保持する拡径部２ｂを設けた。
【０００６】
それぞれの外管グローブ付き蛍光灯は好ましい作動温度が違っているのである。関係文献の記載によると、発光管の直径が３８ｍｍ（Ｔ１２）の蛍光灯は好ましい水銀蒸気圧が０.８Ｐａで、直径が１２ｍｍ（Ｔ４）の蛍光灯は好ましい水銀蒸気圧が１.２Ｐａで、直径が８ｍｍ（Ｔ２）の蛍光灯は好ましい水銀蒸気圧が１.７Ｐａである。それぞれの直径の発光管の好ましい冷端温度は同じではない。直径が１２ｍｍ（Ｔ４）の蛍光灯の好ましい液体水銀温度は約４５℃で、直径が８ｍｍの発光管の好ましい液体水銀温度は約５０℃である。上記先行の技術に公開された突出部の形状はすべて同じ形状（円柱形）である。このような構成における突出部の温度では、発光管に好ましい水銀蒸気圧を発生させることは難しい。この構成によって、発光管内から突出部に入る熱量と突出部から表面を経由して拡散した熱量との差を制御しにくい。突出部内の温度はこの熱量差と関係がある。通常、突出部の泡の寸法を制御することだけにより、突出部に入る熱量を制御する。当該突出部の泡の寸法が変わらない場合、仮に外表面積を大きくして拡散する熱量を増やしたとしても、長手方向のサイズを増やすことしかできない。しかしながら、通常、蛍光灯の発光管の長手方向のサイズに制限がある。そして、いろいろの蛍光灯の要求に応じて、突出部の泡の温度を好ましい冷端温度になるように制御することは難しくなる。そうすると、点灯始動の瞬間にアマルガムから蒸発した水銀の蒸気圧が好ましい圧力に達しなく、好ましい光束を得て、速く好ましい輝度を得ることができなくなる。そのため、以上に公開された特許に記載のように、よく熱伝導樹脂を利用する。それにより、蛍光灯の構成は複雑になって、製造することも難しくなる。
【発明の概要】
【０００７】
本発明の目的は、蛍光灯の発光管を提供して、外管グローブ付き蛍光灯に当該発光管を使って、口金が上方にある場合に快速点灯と好ましい光束立ち上がりとの点灯効果を実現する。
【０００８】
以上説明した発明の目的を実現するため、本発明は、液体の水銀あるいは低温アマルガムを使う蛍光灯の発光管であって、発光管の壁に泡状凸部を一つあるいは一つ以上設け、前記泡状凸部と発光管との間に前記泡状凸部と発光管とを連通させる連接管を設けて、この泡状凸部の内径より当該連接管の内径は小さい。
【０００９】
また、上記の連接管の断面積は泡状凸部の最大断面積より小さい。
【００１０】
また、上記泡状凸部の連接管の断面は円形あるいは矩形である。
【００１１】
また、前記泡状凸部は球形、円柱体、または正方体をしている。
【００１２】
また、上記の泡状凸部の連接管は円管で、上記泡状凸部は球形で、連接管の断面の直径は上記泡状凸部の球状泡の直径より小さい、管状になる。
【００１３】
上記発光管の壁にさらに水銀蒸気の拡散を促進し、発光管の光束をあげる緩衝用泡状凸部を１個あるいは１個以上設ける。
【００１４】
前記のアマルガムは低温アマルガムである。
【００１５】
上記発光管内に低温アマルガムを設ける。
【００１６】
上記泡状凸部内に低温アマルガムを設ける。
【００１７】
本発明の蛍光灯の発光管は、泡状突出部分の具体的な構成を変更して、連接管と泡状凸部とを含むようになった。連接管の直径は泡状凸部の直径より小さい（連接管の断面積は小さい）。すなわち、発光管の泡状突出部分はボトルネックのように構成された。そのため、発光管内の空間と泡状凸部との間に熱抵抗があって、該当熱抵抗は連接管の断面積（発光管の太さ）や長さを調整することによって変更できるから、発光管内の空間から泡状凸部に入る熱量を容易に制御できる。また、泡状凸部の直径は連接管の直径より大きいから、泡状凸部の外表面積を調整することにより、泡状凸部から拡散する熱量を容易に増やすことができる。これは本発明の泡状突出部分の構成では、連接管のサイズを変更しない場合、泡状凸部の横方向のサイズは蛍光灯の横方向のサイズよりはるかに小さいため、泡状凸部の横方向のサイズの調整範囲は大きく、長手方向のサイズが制限される場合、泡状凸部の横方向のサイズを大きくするように容易に調整し、泡状凸部の外表面積を増やすことができるからである。この二つの方法により、泡状凸部内の温度を液体の水銀あるいは低温アマルガムの好ましい作動温度に調整でき、理想的な効果を達成できる。もし低温アマルガムを使えば、点灯始動後、低温アマルガムに含まれる水銀はフィラメントとアークにより加熱されて蒸発し、泡状凸部内の温度が以上に説明したように容易に好ましい作動温度に調節されるから、発光管内の空間には安定した適正な水銀蒸気圧がある。よって、外管グローブ付き蛍光灯として使う場合、快速点灯と好ましい光束立ち上がりとの点灯効果を実現できる。
【図面の簡単な説明】
【００１８】
【図１】図１は本発明の蛍光灯の発光管の構成の実施例の模式図である。
【図２】図２は図１に示す発光管を使う外管グローブ付き蛍光灯の縦断面の構成の模式図である。
【図３】図３は本発明の蛍光灯の発光管の他の構成の実施例の模式図であって、当該構成では、泡状凸部は一個しか設けない。
【図４】図４は本発明の蛍光灯の発光管の別の構成の実施例の模式図であって、当該構成では、泡状凸部は二個設けている。
【図５】図５は本発明の蛍光灯の発光管の突出部分の構成の詳細の模式図である。
【図６】図６は蛍光灯の発光管の光束―時間関係を表す。
【図７】図７は同じ水銀蒸気圧の場合の液体の水銀と低温アマルガムとの作動温度の比較図である。
【図８】図８は本発明が提供した蛍光灯の発光管の突出部分の構成の他の実施例の模式図である。
【図９】図９は本発明が提供した蛍光灯の発光管の突出部分の構成の別の実施例の模式図である。
【図１０】図１０は本発明の蛍光灯の螺旋発光管の変形としての異形構成であるＵ形発光管が外管グローブ付き蛍光灯に使われることを示す模式図である。
【図１１】図１１は本発明の蛍光灯の螺旋発光管の変形としての他の異形構成であるＶ形発光管が外管グローブ付き蛍光灯に使われることを示す模式図である。
【図１２】図１２は本発明の蛍光灯の螺旋発光管の変形としての別の異形構成である螺旋ばね形発光管が外管グローブ付き蛍光灯に使われることを示す模式図である。
【図１３】図１３は本発明の螺旋発光管が別のコンパクト蛍光灯に使われることを示す模式図である。
【発明を実施するための形態】
【００１９】
以下図面を参照しながら、本発明の構成及び実施例をさらに詳しく説明する。
【００２０】
図面における構成要素について、同じ機能あるいは類似機能のものに同一の参照符号を付して説明する。
【００２１】
図１と図２では、口金１３と、上蓋１と、外管グローブ５と、ベース４と、及びベース４に固定する安定器１７と発光管９とにより、外管グローブ付き蛍光灯が構成された。この実施例では、発光管９は異形構成の螺旋状発光管である。灯管の脚３における短い排気管２と灯管の脚１０における長い排気管１１とが上蓋１の下に形成され、長い排気管１１のトップに低温アマルガム１２が封入された。発光管９の壁と外管グローブの内表面との間であって、発光管９の壁に突出部分６を設けた。突出部分６は発光管９のベース４から一番遠い端部の中央に設ける。突出部分６の付近（例えば、その両側の螺旋状発光管９のトップの第一ターン）に緩衝用泡状凸部７、８を設ける。緩衝用泡状凸部は発光管９の壁の別のところに設けてもよい。また、発光管９の内部の空間あるいは突出部分６の内部にも低温アマルガム１２を配置することができる。当該外管グローブ付き蛍光灯は、通常の方式で据付けて（図２のように口金が上にある）点灯するとき、長い排気管内における低温アマルガム１２はフィラメント１４により加熱され、発光管９内における低温アマルガム１２は放電のアークにより加熱され、アマルガムに含まれる水銀が早く蒸発し、螺旋状の発光管内で水銀蒸気圧が発生する。低温アマルガム１２を使わなく、液体の水銀を使ってもよい。図５は図１に示した蛍光灯の発光管の突出部分６の構成の詳細な模式図である。鉛直方向にある発光管の中心線と、泡状凸部６１の中心線と、連接管６２の中心線とは同じ直線上にある。もちろん、本発明の蛍光灯の発光管では、発光管の中心線と、泡状凸部６１の中心線と、連接管６２の中心線とは同じ直線上になくでもよい。本発明の蛍光灯の発光管の突出部分６は泡状凸部６１と連接管６２とを含む。本実施例では、連接管６２は長さLの円管である。泡状凸部６１は球形の中空泡で、連接管６２は泡状凸部６１の内部空間と連通している。連接管内の空間の断面積は泡状凸部の最大断面積より小さい。すなわち、本実施例では、連接管６２の内径は泡状凸部６１の内径より小さい。もし突出部分６の肉厚が均一なら、連接管６２の断面の外径ｄは泡状凸部６１の球形部分の外径より小さい。このように、突出部分６はボトルネック構成である。連接管６２により泡状凸部６１の内部空間と発光管９の内部空間とが連通され、熱と水銀蒸気はこれを通って拡散で
きる。
【００２２】
外管グローブ付き蛍光灯では、好ましい水銀蒸気圧は発光管の直径によって違うのである。関連のテキストによると、直径３８ｍｍ（Ｔ１２）の蛍光灯の発光管では好ましい水銀蒸気圧は０.８Ｐａで、直径１２ｍｍ（Ｔ４）の蛍光灯の発光管では好ましい水銀蒸気圧は１.２Ｐａで、直径８ｍｍ（Ｔ２）の蛍光灯の発光管では好ましい水銀蒸気圧は１.７Ｐａである。低温アマルガムが設けられるところの温度は、低温アマルガムの飽和蒸気圧が当該蛍光灯の発光管の直径による好ましい水銀蒸気圧になる温度でなければいけない。通常、直径１２ｍｍ（Ｔ４）の蛍光灯の発光管の場合は、液体水銀を使う場合、好ましい温度は４５度で、直径８ｍｍの蛍光灯の発光管の場合は、液体水銀を使う場合、好ましい温度は５０度である。
【００２３】
本発明の発明者の研究によると、泡状凸部６１の温度が好ましい温度になるように、泡状凸部の温度をよく制御するため、発光管９から泡状凸部に入る熱量Ｑ１を減らす（あるいはゆっくり入るようにする）ことも、泡状凸部自身の拡散できる熱量Ｑ２を増やすことも必要である。Ｑ１−Ｑ２の差の大きさを制御することにより、泡状凸部６１の内部の温度を制御できる。以上説明したように、従来の技術に公開された泡状凸部では、泡状凸部の形状は大体同じである。通常、泡状凸部の大きさを制御することにより泡状凸部に入る熱量を制御し、泡状凸部に入る熱量を減らすとともに、泡状凸部のサイズを減らなければいけない。熱量の拡散が泡状凸部の表面積と関係があるから、泡状凸部のサイズを小さくすると泡状凸部から拡散する熱量も減る。例えば、泡状凸部が円柱形の場合、直径が小さくなると、表面積も小さくなって、熱量の拡散も遅くなる。直径が一定の場合、表面の熱拡散面積を大きくするため、長手方向のサイズを増やす方法しか使えない。しかし、蛍光灯の発光管の長手方向のサイズには制限があるので、従来の技術による泡状凸部では、泡状凸部の内部の温度を調整して好ましい水銀蒸気圧を実現しにくい。従来の技術に公開された泡状凸部の形状は大体同じで、本発明のような連接管と泡状凸部とを含むボトルネック構成ではないため、従来技術では、熱伝導用のシリコン樹脂を用いることにより、発光管の熱量の拡散を実現する。
【００２４】
本発明が提供する蛍光灯の発光管の突出部分６は、連接管６２と泡状凸部６１とを含むため、突出部分６に入る熱量Ｑ１を制御し（調整し）、また泡状凸部６１から拡散させる熱量Ｑ２を制御（調整）することができる。突出部分６に入る熱量Ｑ１は連接管６２の内径と長さＬとに関係する。そのため、主に連接管６２の太さを変更することにより泡状凸部６１に入る熱量を制御する（長さＬの調整による制御も可能であるが、通常、発光管９と外管グローブ５との距離により制限されることもある。）。本実施例では、肉厚が一定の場合、連接管６２の直径ｄが小さいほど、その内径は小さくなって、泡状凸部６１に入る熱量Ｑ１は少なくなって（遅くなって）、長さＬが長くなると、泡状凸部６１に入る熱量Ｑ１は少なくなる。泡状凸部６１から拡散する熱量Ｑ２は、主に泡状凸部６１の表面積に関係する。表面積が大きくなるほど、熱量の拡散は速くなって、Ｑ２も大きくなる。本実施例でも、直径Ｄが大きくなるほど、外表面積も大きくなって、熱量の拡散も速くなって、Ｑ２も大きくなる。本発明の突出部分のボトルネック構成は、従来の技術の欠陥を克服して、連接管６２を設けて、連接管６２を泡状凸部６１より細くして（連接管６２の内部空間の断面積は泡状凸部６１内部空間の最大断面積より小さい）、ボトルネック状になって、連接管６２の上記直径ｄと長さＬを調節することにより、泡状凸部６１に入る熱量を調整する。また、その表面積を増やすことにより、泡状凸部６１が拡散する熱量が増える。本発明の突出部分６は連接管の太さが変わらない場合、泡状凸部６１の表面積を変更する。泡状凸部６１の表面積を増やすため、その長手方向のサイズを増やしてもよいし、横方向のサイズを増やしてもよい。泡状凸部６１の横方向のサイズは、発光管の横方向のサイズよりずっと小さいから、泡状凸部６１の横方向のサイズの調整範囲は大きい。したがって、泡状凸部６１が容易に好ましい温度になるようによく調整して、発光管９内の水銀蒸気圧が好ましい蒸気圧になって、好ましい光束を得ることができる。
【００２５】
図６は泡状凸部付き発光管を有する蛍光灯の光束―時間関係を表すカーブである。そのＡＢ部分では、フィラメントとアークの加熱により、水銀の蒸気圧が上がり、光束も上がる。ＢＣ部分では、水銀の蒸気圧が上がりすぎ、光束が下がる。ＣＤ部分では、低温アマルガムにより調節して、水銀蒸気圧が下がり、光束が上がる。ＤＥ部分では、泡状凸部内の水銀蒸気圧が段々好ましい状態になって、光束も安定している。図面によると、ＢＣＤ部分では、光束は不安定であることが分かった。本発明の発明者の研究によると、発光管に一個あるいは一個以上の緩衝泡状凸部を設けることにより、このＢＣＤ部分では光束を安定させることができる。図１、図２、図４に示すように、発光管の異なる場所に緩衝泡状凸部を一個あるいは一個以上設け、例えば緩衝泡状凸部７、８を設ける。このようにすることにより、ＢＣＤ部分では、発光管内の水銀蒸気圧をバランスさせて、光束をもっと安定させて、発光効果がよくなる。緩衝泡状凸部７、８の構成と形状は突出部分６と似ていてもよいが、連接管がなくてもよい。その形状は球形あるいは円柱形などの形状である。緩衝泡状凸部は一個あるいは一個以上設けてよい。
【００２６】
連接管のサイズと泡状凸部のサイズとを調整することによっても、泡状凸部内の温度が液体水銀の好ましい作動温度まで下がらないこともある。図７は同じ水銀蒸気圧の場合、液体水銀と低温アマルガムとの作動温度の比較である。液体水銀と低温アマルガムとの作動温度は違うので、低温アマルガムの作動温度は液体水銀の作動温度より約１０℃高い。本発明は泡状凸部に低温アマルガムを封入し、蛍光灯のパワーが大きく、外管グローブのサイズが小さい場合、泡状凸部内の温度が液体水銀の好ましい作動温度より約１０℃高くても、発光管９内の水銀蒸気圧が好ましい作動状態になることも可能である。
【００２７】
本発明は長い排気管１１のトップに低温アマルガム１２を封入するほか、発光管９の内部空間あるいは突出部分６内にも低温アマルガム１２を配置する。このようにすると、発光管９内の水銀蒸気圧が好ましい作動状態にもっとなりやすい。
【００２８】
図８は本発明の外管グローブ付き蛍光灯の異形構成の螺旋形発光管の突出部分の構成の他の実施例の模式図である。この実施例では、突出部分６の泡状凸部６１は球状ではなく、正方体あるいは長方体である。その断面の長さはＬ１、幅はＬ２である。垂直方向には（発光管の中心軸線の方向には）、泡状凸部６１の中心線と、連接管６２の中心線とは同じ直線にある。泡状凸部６１内部の空間は連接管６２を通って発光管９の内部空間と連通する。連接管６２の長さはＬである。
【００２９】
図９は本発明の外管グローブ付き蛍光灯の異形構成の螺旋形発光管の突出部分の構成の別の実施例の模式図である。この実施例では、突出部分６の泡状凸部６１は球状である。しかし、垂直方向には（発光管の中心軸線の方向には）、泡状凸部６１の中心線と、連接管６２の中心線とは同じ直線上にない。泡状凸部６１内部の空間は連接管６２を通って発光管９の内部空間と連通する。泡状凸部６１と連接管６２とのサイズは図５と同じである。
【００３０】
図１０、図１２、図１３は本発明の蛍光灯の螺旋状発光管の変形例を示して、それぞれＵ型発光管、Ｖ型発光管、螺旋状ばね型発光管を示す模式図である。突出部分６は一つしか設けなく、構成は上記実施例と同じである。
【００３１】
本発明の新型の異形構成の螺旋状発光管を使う蛍光灯の外管グローブは梨形に制限されなく、例えば円柱形、方形、球形、蝋燭形、アルミニウムめっきの反射式グローブでもよい。本発明の新型の異形構成の螺旋状発光管はコンパクトの蛍光灯に使っても、同じく、好ましい光束を得ながら、快速的に好ましい輝度を得ることができる。図１３に示したように、外管グローブは反射器１３２とグラス蓋１３１とを含む。
【００３２】
以上の説明により、当業者にとっては、以下のことは想像しやすいことである。例えば、この発明の連接管６２と泡状凸部６１は他の形状をしても、不規則の形状をしてもよい。例えば、泡状凸部６１は楕円形でもよく、連接管は断面が三角形あるいは矩形などのものでもよい。連接管の方向も変更でき、突出部分は一つの連接管と一つの泡状凸部と含むだけでよい。その構成では連接管は泡状凸部より直径が小さく、連接管の内部空間の断面積は泡状凸部の内部空間の最大断面積より小さく、そして、突出部分はボトルネック状になって、同じく本発明の目的を実現することができる。発光管９には、突出部分６を設けるほか、必要の場合、また突出部分をいくつか設けてもよい。緩衝泡状凸部も一個あるいは一個以上設けてもよい。
【００３３】
以上の実施例が記載したのは本発明の基本原理と、主な特徴と、長所とである。当業者にとっては、以下に記載することは明らかである。すなわち、本発明は上記実施例に制限されるものではなく、本発明はその精神と範囲を逸脱することなく、いろいろの変更と改良をすることができ、これらの変化と改良は本発明の請求の範囲にある。
【符号の説明】
【００３４】
１  上蓋
２  短い排気管
３  灯管の脚
４  ベース
５  外管グローブ
６  突出部分
７  緩衝用泡状凸部
８  緩衝用泡状凸部
９  発光管
１０  灯管の脚
１１  長い排気管
１２  アマルガム
１３  口金
１４  フィラメント
１７  安定器
６１  泡状凸部
６２  連接管
【図１】
2012529730.tif 000003
【図２】
2012529730.tif 000004
【図３】
2012529730.tif 000005
【図４】
2012529730.tif 000006
【図５】
2012529730.tif 000007
【図６】
2012529730.tif 000008
【図７】
2012529730.tif 000009
【図８】
2012529730.tif 000010
【図９】
2012529730.tif 000011
【図１０】
2012529730.tif 000012
【図１１】
2012529730.tif 000013
【図１２】
2012529730.tif 000014
【図１３】
2012529730.tif 000015
【国際調査報告】
2012529730.tif 000016
2012529730.tif 000017
2012529730.tif 000018
2012529730.tif 000019